(57)【特許請求の範囲】
【請求項１】
食品に触れた器具の付着物を拭き取るべき拭き取り面が形成される衛生シートを分離可能に保持して、拭き取り後の前記衛生シートと前記付着物とを受容して包み込み可能に形成される外殻を備え、
前記衛生シートは、手の指を挿入可能にされる扁平な筒状部であって前記拭き取り面が形成される筒状部を有することを特徴とする食品に触れた器具の付着物を拭き取る衛生シートセット。
【請求項２】
前記筒状部には、前記拭き取り面より吸水性が低い低吸水層が形成されることを特徴とする請求項１に記載の食品に触れた器具の付着物を拭き取る衛生シートセット。
【請求項３】
前記筒状部は、裏返し可能に形成されてその外側と内側のそれぞれに前記拭き取り面を有していることを特徴とする請求項１または２のいずれかに記載の食品に触れた器具の付着物を拭き取る衛生シートセット。
【請求項４】
前記筒状部は、その内側に摘み可能な形状の摘み部を有することを特徴とする請求項３に記載の食品に触れた器具の付着物を拭き取る衛生シートセット。
【請求項５】
前記外殻は、前記付着物を受容する面に吸水層を備えることを特徴とする請求項１から４のいずれかに記載の食品に触れた器具の付着物を拭き取る衛生シートセット。
【請求項６】
前記外殻は、受容した前記付着物がこぼれないように周辺より窪む窪み部を有し、拭き取り後の前記衛生シートを包み込んだ状態を維持可能なばらけ防止手段が設けられることを特徴とする請求項１から５のいずれかに記載の食品に触れた器具の付着物を拭き取る衛生シートセット。
【請求項７】
付着物を拭き取った後の前記衛生シートを包み込んだ状態の前記外殻を収容する収容部材を備えることを特徴とする請求項１から６のいずれかに記載の衛生シートセット。
【請求項８】
請求項１から７のいずれかに記載の衛生シートセットから食品に触れた器具の付着物を拭き取る前記衛生シート及び前記外殻を分離するステップと、
分離した後の前記衛生シートを用いて食品に触れた前記器具の付着物を拭き取って減少させるステップと、
拭き取った後の前記衛生シートを前記外殻で包み込むステップと、
を含むことを特徴とする食品に触れた器具の付着物を拭き取って減少させる方法。
【請求項９】
前記分離するステップの後に、前記付着物の液体成分を前記外殻に移すステップを含むことを特徴とする請求項８に記載の食品に触れた器具の付着物を拭き取って減少させる方法。
【発明の詳細な説明】
【技術分野】
【０００１】
本発明は、弁当箱などの食品に触れた器具の付着物を拭き取る衛生シートセット、及び食品に触れた器具の付着物を拭き取って減少させる方法に関するものである。
【背景技術】
【０００２】
環境負荷の軽減は人類の責務である。これは、家庭においても同様で、省資源と共に上水の使用量の削減、下水の排出量の削減とその質の改善が求められている。具体的に言えば、使用済みの食器の浄化に関する。使用済みの食器には油分を多く含む付着物が付着しており、これを上水で洗浄しようとすると大量の上水と洗剤を使用するのが一般的である。このためその手間や時間がかかりる上、洗剤使用による手荒れ等も生じる。また洗浄後に排出される下水には付着物、油分、洗剤成分など種々雑多な物が多く混入しており、そのまま自然界に排出すれば環境破壊につながる。また、このような下水を浄化するには多くの手間と費用がかかるなど、環境負荷が大きい。
【０００３】
この改善策として、使用後の食器の付着物を拭いて減らす清掃用シートや清拭用シートの技術が特許文献１〜３に記載されている。これらは使用後の食器の洗浄の際の水の使用量を抑える。しかし、これらは原則としてキッチンまたはその周辺において皿等の食器類を主に拭くものである。そして使用後の清掃用シートの処分については明確には記載されていないが、そのままキッチン内のダストボックスに廃棄するものと考えられる。
【先行技術文献】
【特許文献】
【０００４】
【特許文献１】特開平１１−１５５７９１号公報
【特許文献２】特開２００３−６１８８５号公報
【特許文献３】特開２００６−６８４６３号公報
【０００５】
しかしながら、昼食時の弁当箱について考えてみると、弁当を食した後の弁当箱には付着物、食べ残し、中仕切りに用いられるカップ状容器やこれらの液体成分が残る（図１５、図１６参照）。そして、第一に弁当箱を拭こうとするとき、付着物以外のものが残っていると拭き取りの邪魔や障害となる。さらには付着物を拭き取った後にこれらのものを戻すと、衛生的には拭いた意味があまりなくなる。さらには、拭き取り使用後の清掃用シートの処分にも困る。なぜならば、そのままオフィスのくずかごに入れておけば汚れがくずかごに転写してくずかごを汚す。また、拭き取り物やその腐敗物により悪臭を放つ。さらには拭き取り物に昆虫やネズミなどの不衛生な生物を引き寄せることが考えられる。また、持って帰るとすると、カバンやバッグの中を汚しまたは臭気を放つ可能性が高い。
【発明の概要】
【０００６】
本発明はこうした状況に鑑みてなされたものであり、その目的は、使用済みのシートや食べ残しの処分を容易にして、キッチン内のみならずキッチン外でも使用済みの弁当箱などの食器を衛生的に取扱できる衛生シートを提供することにある。
【発明が解決しようとする課題】
【０００７】
このような背景から、発明者は使用済みのシートや食べ残しの処分を容易にして、例えばキッチン外であっても使用済みの弁当箱などを衛生的に取扱可能にすることが課題であると認識した。
【課題を解決するための手段】
【０００８】
上記課題を解決するために、本発明のある態様の衛生シートは、難透水シートを有する外殻を備え、食品に触れた器具の付着物を拭き取るべき拭き取り面が形成されているワイプシートを分離可能に保持して、拭き取り後の前記ワイプシートと前記付着物の液体成分とを受容して包み込み可能に形成されることを主要な特徴とする。
【０００９】
この態様によると、水をあまり使用することなく食品に触れた器具を衛生的に取扱可能とし、使用済みのワイプシートや食べ残しやその液体成分の処分の手間を軽減することができる。
【００１０】
なお、以上の構成要素の任意の組み合わせや、本発明の構成要素や表現を方法、物、製造方法などの間で相互に置換したものもまた、本発明の態様として有効である。
【発明の効果】
【００１１】
本発明は、水をあまり使用することなく食品に触れた器具に付着した付着物を減少させて、例えばキッチン外であっても使用済みの弁当箱などを衛生的に取扱可能とし、食べ残しと使用済みのワイプシートを容易に処分または保持可能とする。
【図面の簡単な説明】
【００１２】
【図１】本発明の実施の形態に係る衛生シートの一例を示す平面図である。
【図２】図１の衛生シートのＡ−Ｂ線に沿った断面を示す断面図である。
【図３】図１の衛生シートが包装部材に包装された状態を示す断面図である。
【図４】図１の衛生シートが包装部材から取り出された状態を示す断面図である。
【図５】別の実施形態に係る衛生シートの一例を示す斜視図である。
【図６】図２の衛生シートから外殻とワイプシートを分離した状態を示す図である。
【図７】図６の外殻に使用後の弁当箱から付着物の液体成分を受容する様子を示す図である。
【図８】図６のワイプシートで使用後の弁当箱の付着物を拭き取る様子を示す図である。
【図９】図６の外殻に使用後のワイプシートを受容する様子を示す図である。
【図１０】図９の外殻を折り畳んで粘着テープを貼り付けた状態を示す図である。
【図１１】図１０の外殻を包装部材で包装した状態を示す図である。
【図１２】図６のワイプシートの一部を切り取って内部の摘み部を示す図である。
【図１３】図６のワイプシートを裏返した状態を示す図である。
【図１４】図６のワイプシートの断面図である。
【図１５】使用前の弁当箱を示す斜視図である。
【図１６】図１５の弁当箱であって食事使用後の状態を示す斜視図である。
【図１７】使用後のワープシートと付着物を受容した図５の衛生シートを示す斜視図である。
【図１８】使用後に折り畳んだ図５の衛生シートを示す斜視図である。
【図１９】さらに折り畳んだ後に粘着テープを付した図５の衛生シートを示す斜視図である。
【図２０】さらに包装部材に包装された状態の図５の衛生シートを示す斜視図である。
【発明を実施するための形態】
【００１３】
以下、本発明を好適な実施の形態をもとに図面を参照しながら説明する。各図面に示される同一または同等の構成要素、部材には、同一の符号を付するものとし、適宜重複した説明は省略する。また、各図面における部材の寸法は、理解を容易にするために適宜拡大、縮小して示される。また、各図面において実施の形態を説明する上で重要ではない部材の一部は省略して表示する。なお、以下の説明では、全体として、便宜上、図２における断面図の下方を「下」と表現するとともに、上方を「上」と表現する。
【００１４】
図１は本発明の実施の形態に係る衛生シート２の一例を示す平面図である。図２は衛生シート２の断面図である。衛生シート２は難透水シートを有する外殻４を備えワイプシート６を分離可能に保持している。実施の形態で、ワイプシート６は外殻４の上に重ねて保持されている。このためワイプシート６は外殻４から容易に分離可能にされている。またワイプシート６の一部である例えば端部が外殻４に接着などの方法で固着されもよい。ワイプシート６にミシン目など剥離領域を設けて容易に切り離し可能とされてもよい。これらは一体で取り扱いできるから一方を使用すると他方を探す手間が省ける。またいずれかが不足して結局使用できない事態を生じることもない。
【００１５】
実施の形態で、外殻４は付着物１０と拭き取りした後のワイプシートを受容して包み込み可能な大きさに形成されている。外殻４は難透水シートを含み付着物１０の液体成分を受容して包み込み可能に形成されている。外殻４は一方の面に接した水分が容易には他方の面にしみ出ないように、シートの表面に塗装が施されてもよい。外殻４に受容した付着物１０が液体成分を多く含む場合に、液体成分の飛散が抑えられる。
【００１６】
難透水シートは、液体成分を透過し難いものであれば特別の制限はない。例えば、所望の難透水性を発揮するように繊維の密度を調整した紙や表面にポリプロピレン等の樹脂やワニスを付着させた紙を用いることができる。実施の形態では、難透水シートを水平にして、一方の面に水滴を付着させた場合に１０分経過後の当該面の水滴の残量が８０％以上となるように繊維の表面密度を調整した紙を用いている。
【００１７】
衛生シート２は受容した液体成分がこぼれないように周辺が上側に上がっている窪み部
を有してもよい。実施の形態で衛生シート２は、受容した液体成分がこぼれないように外殻４の周辺が上側に上がって略盆状を形成しており、外殻４全体が窪み部とされる。具体的には外殻４は短辺４ａ、４ｂが１０ｃｍで長辺４ｃ、４ｄが１５ｃｍの矩形状で、長辺の縁が上側に１ｃｍ程度折り曲げられて壁状の縁部４ｃ、４ｄが形成されている。また、長手方向の途中が窪んだ窪み部４ｆが形成されている。この結果、平らな面に静置した場合に、外殻４は中間部が窪んだ形状を呈しており、受容した液体成分の縁からの漏れ出しが抑えられる。衛生シート２は、外殻４は上記形状に限られず、例えば略椀状、略皿状、略舟形状又は長手方向の断面が略Ｖ字状や略Ｕ字状等の形状に形成されてよい。衛生シート２は、外殻４がこれらの形状に折り曲げできるように予備的に折り目が形成されていてもよい。
【００１８】
衛生シート２は外殻４が大きすぎると、テーブルの上に配置する面積が大きくなって使い勝手が低下する。また、小さすぎると受容可能なワイプシート６の大きさや液体成分の量が減って使い勝手が低下する。衛生シート２は外殻４の長手方向の寸法が１２ｃｍから２４ｃｍの範囲では使い勝手の低下が実使用上で問題とならない範囲であることが確認されている。なお、衛生シート２は外殻４の長手方向の寸法が１５ｃｍ〜２０ｃｍの範囲で使い勝手の低下は殆ど確認されず視覚的にも問題はなく一層好ましい。また、衛生シート２は外殻４の短手方向の寸法は長手方向の寸法の５０％〜９０％としている。
【００１９】
衛生シート２は外殻４を誤って傾けたりした場合に、受容した液体成分１４が漏れ出すこ可能性がある。これに対応して、衛生シート２は液体成分を受容する面に吸水層１８を備えてもよい（図２参照）。外殻４を傾けた場合に受容した液体成分１４の縁からの漏れ出しが抑えられる。吸水層１８は例えばパルプ繊維や化学繊維などの繊維を含んで形成できる。また、衛生シート２は、例えばポリアクリル酸ナトリウムを顆粒状にしたもの等を含む高吸水ポリマー２０を備えてもよい。実施の形態で高吸水ポリマー２０は、衛生シート２の窪み部４ｆに配設している（図２参照）。液体成分１４は窪んだ部分に集まってくるから、少ない量の高吸水ポリマー２０で効率的に水分を吸収できて、液体成分１４の漏れ出しを一層抑えられる。
【００２０】
衛生シート２は、使用後のワイプシート６などの受容物を包み込んだ外殻４の包み込み状態を維持するばらけ防止手段を備えている。ばらけ防止手段としては。受容物を包み込んだ外殻４の包み込み状態を維持可能なものであれば特別の制限はない。実施の形態で、外殻４の長手方向の端には粘着テープ１６が貼り付けられている（図１０参照）。つまり衛生シート２は、外殻４に粘着テープ１６が貼り付けられることにより、その包み込み状態が維持される。ばらけ防止手段は外殻４の端部を挟むクリップを用いることができる。また、ばらけ防止手段は、外殻４端部に金属製や紙製の針を刺して通した後にその針を曲げて綴じるステープラを用いることができる。さらに、ばらけ防止手段は、外殻４の端部に突起部と受け穴とを設けて、一方の端部の突起部を他方の端部の受け穴に引っ掛けるようにして外殻４の包み込み状態を維持するようにしてもよい。
【００２１】
実施の形態で、衛生シート２は難透水性の包装部材２２に包装されている（図３参照）。包装部材２２はポリエチレンやポリオレフィンなどの難透水性の樹脂素材から袋状に形成される。包装部材２２は、使用後のワイプシート６を包み込み込んだ状態の外殻４を収容可能な形状に形成されている。例えば、使用後のワイプシート６を包み込み込んだ状態の外殻４をバッグなどへ保存した場合に、液体成分のバッグなどへの漏れ出しを抑える。別途に包装部材を準備するロスを抑えうる。
【００２２】
ワイプシート６は水を殆ど使用することなく食品に触れた弁当箱８の付着物１０を拭き取り可能に形成されている。例えばパルプ繊維や化学繊維などの繊維を不織布に形成することができる。ワイプシート６は、水を含んでいてもよい。例えば、ワイプシート６は、弁当箱８の表面に触れた場合に、弁当箱８の表面を濡らすことができる程度に水分を含ませておくことができる。付着物１０を軟化させて除去しやすくなる。またワイプシート６は、アルコール類や次亜塩素酸ナトリウムの水溶液など殺菌効果を有する液体を含ませてもよい。実施の形態では、ワイプシート６にエタノールを含ませている。人体に害が少ない点で好ましい。拭き取り後の弁当箱８がより衛生的になる。またワイプシート６は界面活性剤を含ませてもよい。脂質も短時間で拭き取ることができる。またワイプシート６は難水溶性の繊維が含まれてもよい。水等の液体に触れても破れの発生を抑えられる。ワイプシート６と外殻４とに非透水性の分離シートを介するようにしてもよい。ワイプシート６に含まれる液体の外殻４への染み込みを抑えうる。
【００２３】
ワイプシート６は種々の形状とすることができる。例えば単なる矩形のシートであってもよい。ワイプシート６は、手の指を引っかけて保持する引っ掛け部が形成されてよい。持ちやすいから作業効率が向上する。ワイプシート６は扁平な筒状部が形成されても良い。ワイプシート６は、筒状部に手の指が挿入されて容易に保持しうる。このため、往復運動して拭き取る場合も指に力を入れて素早く実行できて作業効率が向上する。実施の形態のワイプシート６は、筒状部の一方の端部に開口６ｅを有し、他方の端部が閉じられた閉端を有する袋状に形成されている（図１２参照）。当該閉端は塞がれていても良い。開口６ｅ以外の部分に孔が設けられているものも袋状に含まれる。ワイプシート６は開口６ｅに２乃至３本の指を第２関節程度まで包む形状としている(図８参照)。ワイプシート６が指に密着するから力が直接的に伝達されて付着物１０を効率的に拭き取ることができる。また、指の腹がシート一枚のみを通じてに弁当箱８の表面に接する。またワイプシート６は指の腹に接する部分が密着部を形成し、これらの間に非密着部を形成する。この結果、密着部と非密着部が連続して弁当箱８の表面を擦るから、強く付着している付着物１０も短時間で拭き取ることができる。
【００２４】
袋体の開口６ｅの周寸法は、小さすぎると指を包み込んで使用した際に破れることがある。開口６ｅの周寸法は１０ｃｍ以上の範囲で指二本を包み込みできて好ましい。また開口６ｅの周寸法は、１３ｃｍ以上の範囲で指３本を包み込みできて一層好ましい。開口６ｅの周寸法が大きすぎると指から抜けやすくなる可能性がある。開口６ｅの周寸法は１８ｃｍ以下の範囲では実使用上で問題はなかった。ワイプシート６は袋体の開口６ｅからの奥行き浅過ぎると１回の拭き取り幅が狭くなり、拭き取りの往復回数が増えて作業効率が低下する。また奥行きが深すぎると先端部分に指が届かず拭き取りに関与しない無駄な部分が生じる。開口６ｅからの奥行き寸法は３〜７ｃｍの範囲で作業効率の低下や先端部分の無駄が問題とならず好ましい。
【００２５】
実施の形態でワイプシート６は、袋体が裏返し可能に形成されて外側６ａと内側６ｂのそれぞれに拭き取り面を有している（図１２、図１３参照）。ワイプシート６は、使用後に袋体を裏返すと汚れ面６ａが内側になり、また拭き取り物が内側に包み込まれるから、拭き取り物に指が触れる可能性を抑えうる。ワイプシート６は、袋体の内側６ｂに摘み可能な形状に形成された摘み部６ｃを有する。摘み部６ｃを引き出すようにすることで容易に袋体が裏返しになる。
【００２６】
ワイプシート６は、一方の面が拭き取り面とされ、反対の面は拭き取り面より吸水性が低く形成されてよい。液体成分１４の染み出しが抑えられるから、反対の面を指で押えて作業すれば指が濡れにくい。実施の形態でワイプシート６は、袋体の外側６ａと内側６ｂとの両面に拭き取り面が形成されて、これらの間に拭き取り面より吸水性が低い中間層６ｄが形成される（図１４参照）。これにより、袋体の外側６ａで付着物１０を拭き取る際に液体成分の内側６ｂへの染み出しが抑えられる。このため、外側６ａで付着物１０を拭き取った後も内側６ｂは清潔なままである。したがって袋体を裏返して内側６ｂを表に出して清潔に拭き取りが可能になる。よってワイプシート６を無駄なく使い切ることができる。
【００２７】
中間層６ｄは液体成分を透過し難いものであれば特別の制限はない。例えば、所望の難透水性を発揮するように繊維の密度を調整した紙や表面にポリプロピレン等の樹脂やワニスを付着させた紙を用いることができる。実施の形態で中間層６ｄは、一方の面に水滴を付着させた場合に１０分経過後の当該面の水滴の残量が５０％以上となるように繊維の表面密度を調整した紙を用いている。
【００２８】
ワイプシート６は、外殻４が１枚に対して大きなシートを１枚だけ保持して使用する方法もある。しかし、大きなシートは拭き取りをしているうちに未使用部分の判別が難しくなる。この結果、未使用部分を多く残すことがあり、利用効率が低い。このため、ワイプシート６は、外殻４が１枚に対して複数枚が分離可能に保持されてもよい（図６参照）。いずれか１枚のワイプシート６をまず使用した後、残りの未使用のワイプシート６を使用できる。付着物１０を効率的に除去でき、前述の課題が軽減される。実施の形態で、外殻４の略半分の大きさのワイプシート６が２枚平面的に並べて外殻４に保持されている。外殻４の１枚に対して保持されているワイプシート６の数が多すぎると、ワイプシート６が小型になり使用に困難を生じる可能性がある。ワイプシート６の数が４以下の範囲では実用上の問題がないことが確認されている。ワイプシートは折り畳んで平面的に並べて外殻４に保持されてもよい。例えば四つ折りにしてもよい。また、ワイプシート６を複数重ねて保持されてもよい。
【００２９】
ワイプシート６は、人体に有害な成分が非含有とされて口拭き、手ふきとしても使用可能に形成される。別途の口拭き用等のちり紙等の消費を抑えることができる。
【００３０】
次に図３〜１１に基づき衛生シート２を使用して食品に触れた弁当箱８を衛生的に取扱う方法を説明する。まず図３〜４に示すように、包装部材２２から衛生シート２を取り出して準備する。次に図２及び図６に示すように、外殻４を開いてワイプシート６を分離する。ここで、ワイプシート６で手や口を拭いてもよい。次に図７に示すように、弁当などで残った物１３や液体成分１４を外殻４上に移す。次に図８に示すように、ワイプシート６を用いて食品に触れた弁当箱８の付着物１０を拭き取って減少させる。次に図９〜１０に示すように、付着物１０を拭き取った後のワイプシート６を外殻４で包み込む。次に図１０に示すように、外殻４に粘着テープ１６を貼り付けてばらけを防止する。
【００３１】
この状態で、衛生シート２を廃棄してもよいが、液体成分１４の漏れ出しの可能性をさらに低減したい要請がある。このため、実施の形態の方法では、さらに付着物１０を拭き取った後のワイプシート６を包み込んだ状態の外殻４を難透水性の包装部材２２で包装している（図１１参照）。これにより、液体成分１４の漏れ出しや臭気の漏れ出しの可能性が大幅に低減できる。この状態でゴミ箱に廃棄できる。また、バッグに入れて持ち帰り家庭のゴミ箱に廃棄できる。また、使用前の衛生シート２を包装していた包装部材２２を用いて包装するから、別途に包装部材を消費するロスを低減することができる。
【００３２】
使用済みの弁当箱８などは、ワイプシート６で拭いた後も僅かに食品成分が残ることが考えられる。残った食品成分は発酵して臭気を生じる可能性がある。このため食品に触れた弁当箱８に殺菌成分が含まれる液剤を付着させてもよい。発酵に関与する微生物を削減して発酵や臭気の発生を抑える。なお、弁当箱８に付着させた当該液剤をワイプシート６でさらに拭き取るようにしてもよい。一層衛生的に弁当箱を取り扱うことができる。
【００３３】
次に、図５及び図１７〜２０に基づき、別の実施形態に係る衛生シート５０とその使用方法を説明する。図５は、衛生シート５０を示す斜視図である。衛生シート５０は、外殻５４と、二つのワイプシート６と、吸水層１８と、高吸水ポリマー２０とを含んでいる。外殻５４は、難透水を有する二枚の矩形状シートの連続する二辺が上下のシートで接して繋がっている。図５において、内部の高吸水ポリマーの状況の理解を容易にするため、外殻５４の一部を切り取って示している。
【００３４】
外殻５４のシートを拡げると周辺が上に上がり、接続された二辺の間に窪み部５４ａが形成される。外殻５４は、窪み部５４ａに拭き取り後のワイプシート６と付着物の液体成分１４とを受容する（図１７参照）。図１７において、内部の受容物の状況の理解を容易にするため、外殻５４の一部を切り取って示している。前述の受容物を受容した後に衛生シート５０は縁が折り畳まれる（図１８参照）。その後、衛生シート５０はさらに上下に折り畳まれて、ばらけを防止するために粘着テープ１６が付される（図１９参照）。受容物を受容し折り畳まれた衛生シート５０は包装部材２２に包装される（図２０参照）。包装部材２２は開口を有する袋体とされる。包装部材２２は、袋体の中央より上方向で開口に寄った位置にファスナー部２２ａが形成されている。ファスナー部２２ａは袋体の２面を密着させて袋体を封じる。使用前の衛生シート５０を包装していた包装部材２２を用いて包装するから、別途に包装部材を消費するロスを低減することができる。包装部材２２は透明であっても不透明であってもよい。
【００３５】
衛生シート２及び５０は香料を含んでもよい。香料は例えば繊維に溶剤に分散化した洗剤を染み込ませてシート状に形成できる。例えば食欲を刺激するハーブの香りを含ませることにより食事が楽しくなる。また、衛生シート２及び５０は界面活性剤を含む洗剤を備えてもよい。洗剤は例えば繊維に溶剤に分散化した洗剤を染み込ませてシート状に形成できる。洗剤を別に準備したり探す手間が省け、使い勝手が向上する。
【００３６】
前述の説明では、食品に触れた器具は使用済みの弁当箱８としたが、これに限られない。例えば、使用済みの箸やスプーン等の食器であっても同様の効果を生じ、本発明の範囲にある。
【００３７】
これらの実施の形態は例示であり、それらの各構成要素の組み合わせにいろいろな変形例が可能なこと、またそうした変形例も本発明の範囲にあることは当業者に理解されるところである。あるいはまた、実施の形態同士の組み合わせも可能である。
【符号の説明】
【００３８】
２、５０  衛生シート
４、５４  外殻
６  ワイプシート
８  弁当箱
１０  付着物
１１  食べ残し
１３  カップ状容器
１２  食品
１４  液体成分
１６  粘着テープ
１８  吸水層
２０  高吸水ポリマー
２２  包装部材
２４  指
３０  包み込み具
【図１】
0005911123.tif 000002
【図２】
0005911123.tif 000003
【図３】
0005911123.tif 000004
【図４】
0005911123.tif 000005
【図５】
0005911123.tif 000006
【図６】
0005911123.tif 000007
【図７】
0005911123.tif 000008
【図８】
0005911123.tif 000009
【図９】
0005911123.tif 000010
【図１０】
0005911123.tif 000011
【図１１】
0005911123.tif 000012
【図１２】
0005911123.tif 000013
【図１３】
0005911123.tif 000014
【図１４】
0005911123.tif 000015
【図１５】
0005911123.tif 000016
【図１６】
0005911123.tif 000017
【図１７】
0005911123.tif 000018
【図１８】
0005911123.tif 000019
【図１９】
0005911123.tif 000020
【図２０】
0005911123.tif 000021